(57)【特許請求の範囲】
【請求項１】
端部に一方の面側から厚み方向に形成された挿入孔を有するパネルを吊り下げるためのパネル用吊り具であって、吊り下げられる吊り具本体と、この吊り具本体に設けられて前記挿入孔に前記一方の面側から挿入される吊りピンと、前記吊り具本体に設けられて、前記挿入孔が形成されているパネルの一方の面と反対側の面に当接して前記パネルを押さえる押さえ部とを備え、前記押さえ部は、前記反対側の面に対しほぼ平行に移動することで該反対側の面から退避可能に設けられており、
前記押さえ部は、前記吊りピンの先端部と対向した位置と前記反対側の面から退避した位置との間を移動可能であることを特徴とするパネル用吊り具。
【請求項２】
請求項１記載のパネル用吊り具において、
前記吊り具本体には、吊り下げるべきパネルの一方の面に対向する対向面が設けられ、この対向面に吊りピンが該対向面と直角に突出して設けられていることを特徴とするパネル用吊り具。
【請求項３】
請求項１または２に記載のパネル用吊り具において、
吊り具本体には回動レバー部が回動自在に設けられ、前記押さえ部は、前記回動レバー部に設けられて該回動レバー部を回動させることにより前記反対側の面に対しほぼ平行に移動することを特徴とするパネル用吊り具。
【請求項４】
請求項３記載のパネル用吊り具において、
吊り具本体には、回動レバー部が吊りピンの延在方向に移動可能に設けられていることを特徴とするパネル用吊り具。
【請求項５】
請求項４に記載のパネル用吊り具において、
吊り具本体には、前記回動レバー部を前記吊りピン側に付勢可能な付勢部材が設けられていることを特徴とするパネル用吊り具。
【請求項６】
請求項３〜５のいずれかに記載のパネル用吊り具において、
押さえ部は、パネルの反対側の面に当接する当て板を有し、この当て板は、前記回動レバー部に回動可能に取り付けられていることを特徴とするパネル用吊り具。
【請求項７】
請求項３〜６のいずれかに記載のパネル用吊り具において、
回動レバー部の内側面には、前記回動レバー部の基端部側から先端部側に向かうにしたがって外方に傾斜する傾斜部が設けられていることを特徴とするパネル用吊り具。
【請求項８】
請求項１〜７のいずれかに記載のパネル用吊り具を用いてパネルを吊り下げるパネルの吊り下げ方法であって、
押さえ部を、挿入孔が形成された一方の面と反対側の面から退避させた状態で、吊りピンを前記挿入孔に挿入し、次いで、前記押さえ部を前記反対側の面に当接させて前記パネルを押さえることで前記パネル用吊り具を介して前記パネルを吊り下げることを特徴とするパネルの吊り下げ方法。
【発明の詳細な説明】
【０００１】
【発明の属する技術分野】
本発明は、住宅などの建築物において、屋根、床、壁などを構成するパネルを吊り上げたり吊り降ろし作業のため、吊り下げた状態にするパネル用吊り具及びこれを用いたパネルの吊り上げ方法に関するものである。
【０００２】
【背景の技術】
一般に、桟材からなる矩形枠状の少なくとも一方の面に面材が貼設された木製パネルを予め作成しておき、建築現場において、上記木製パネルを組み付けることにより、住宅などの床、壁、屋根などを構築するすることで現場での施工を省力化したパネル工法が知られている。
また、パネル工法において、予め複数の上記木製パネルを組み付けて大型パネル（後述する複合連結パネルと同様の構成のもの）を形成し、該大型パネルを建築現場に設置することで建築物を構築することにより、更に、現場での施工を省力化したパネル工法が知られている。
【０００３】
このような大型パネルにより、例えば、住宅の壁を構築する場合には、建築現場において大型パネルを立てた状態で設置する必要があるが、パネルが大型化して重くなるにしたがって、作業員の手作業による施工が困難になる。
したがって、上記大型パネルにより壁を構築する場合においては、基本的に、クレーンなどの吊り上げ装置により大型パネルを立てた状態に吊り上げて、構築すべき壁の部分に大型パネルを設置している。なお、この壁となるパネルは、桟材からなる矩形枠状の両面に面材が貼設されているものである。
【０００４】
ところで、上記クレーンによって吊り上げられる大型パネルの構造として、例えば特開平９−２０９５７３号の公報がある。この公報に開示の大型パネルは、クレーンの牽引用の掛止具としてパネルハンガーと呼ばれるものを用いて吊り上げられている。
この特開平９−２０９５７３号の公報におけるパネルハンガーは、引き上げられた際に水平に配置される支持棒と、この支持棒をワイヤのフックに掛けるための支持ワイヤと、上記支持棒の左右両端部からそれぞれ垂下された二本の吊り上げチェーンと、これら吊り上げチェーンの先端部に取り付けられた十手金具とからなるものである。前記十手金具は、前記吊り上げチェーンに接続されて垂直に配置される棒体と、レバーによってこの棒体の先端部から左右にそれぞれ出没自在とされる係止片とを有している。
そして、吊られる大型パネルの上下方向に沿った桟材の部分に垂直な挿入孔と、この挿入口に直交する係止孔が形成されており、この挿入孔に吊り具となる十手金具を挿入して、該十手金具の係止片を突出させて、前記係止孔に挿入させる。これにより大型パネルの縦方向に沿った桟材に十手金具が係止して、前記大型パネルを吊り上げることができるようになっている。
【０００５】
【発明が解決しようとする課題】
しかし、上述した特開平９−２０９５７３号の公報に開示の技術のように大型パネルを吊り上げる場合、吊り上げる大型パネルに十手金具を係止するために挿入孔及び係止孔といった２種類の孔を予め形成する必要があり、吊り上げられるパネルへの加工に若干手間がかかるものとなっている。
また、前記十手金具の係止片を前記パネルに形成された係止孔に係止させる際、外部からはその様子を見ることは出来ないので、前記係止片が前記係止孔に係止されたかどうかの確認を行ってからパネルを吊り上げることになり、その作業には若干の手間がかかることになる。
【０００６】
本発明は、上記事情を鑑みてなされたもので、その目的は、建物の構成体となるパネルの吊り上げや吊り降ろしを行うために、パネルを容易に吊り下げた状態とすることができるパネル用吊り具、また、パネルを吊り上げたり、吊り降ろしたりするためにパネルを吊り下げた状態にするパネル用吊り具によるパネルの吊り下げ方法を提供することにある。
【０００７】
【課題を解決するための手段】
以上の課題を解決すべく請求項１記載の発明は、例えば、図１および図７に示すように、端部ＧＰａに一方の面ＧＰ１側から厚み方向に形成された挿入孔２を有するパネルを吊り下げるためのパネル用吊り具であって、吊り下げられる吊り具本体３と、この吊り具本体３に設けられて前記挿入孔２に前記一方の面ＧＰ１側から挿入される吊りピン４と、前記吊り具本体３に設けられて、前記挿入孔２が形成されているパネルＧＰの一方の面ＧＰ１と反対側の面ＧＰ２に当接して前記パネルＧＰを押さえる押さえ部６とを備え、前記押さえ部６は、前記反対側の面ＧＰ２に対しほぼ平行に移動することで該反対側の面ＧＰ２から退避可能に設けられており、
前記押さえ部６は、前記吊りピン４の先端部４１と対向した位置と前記反対側の面ＧＰ２から退避した位置との間を移動可能であるものである。
【０００８】
このパネル用吊り具１は、パネルＧＰに取り付けられ、該パネルＧＰを吊り下げられた状態とした後、吊り上げたり吊り降ろしたりするものである。
前記パネルＧＰとして、例えば、木質パネル（図ではＰ１，Ｐ２，Ｐ３等）があり、この木質パネルＰ１，Ｐ２，Ｐ３は框材を矩形枠状に組んでなる枠体の表裏両面のうち少なくとも表面に合板などの面材を設けたもので、前記枠体内には必要に応じて補助桟材が縦横に組み付けられているものである。また、このような木質パネルを予め工場でアッセンブルしたサブアッシと称するものとしてもよい。これら木質パネルやサブアッシにおける前記挿入孔は、枠体を構成する框材や補助桟材、特に枠体の縦枠部となる縦框材や縦の桟材に形成されていることが好ましい。
【０００９】
また、前記挿入孔２は前記一方の面側から厚み方向に形成され、前記吊りピン４が挿入可能であれば、どのような長さに形成されていてもよい。例えば、前記挿入孔は前記パネルを貫通するものとしてもよい。このように厚み方向にパネルを貫通する挿入孔であれば、パネルの表裏面のどちら側からでも、前記吊りピンを前記挿入孔に挿入させることができる。
前記パネルの端部としては、例えば、上端部、側端部などが挙げられる。
【００１０】
さらに、前記押さえ部は、前記パネルの反対側の面に対しほぼ平行に移動することで該反対側の面から退避可能に設けられていれば、どのように構成されていてもよい。例えば、前記反対側の面の上方に配置される吊り具本体に、該反対側の面と平行に回動自在に取り付けられたレバー部に設けられている構成としたり、また前記反対側の面から上方向にスライド移動して、前記反対側の面から退避するように構成されていてもよい。また、前記押さえ部において前記反対側の面と当接する部分を面として当接面積を広くすれば、より安定した状態で当接させることが可能となる。
さらに、パネルを吊り下げた状態とは、該パネルを吊り上げたり、また吊り降ろしたりする前段階の状態である。つまり、パネルは本パネル用吊り具を介してまず、吊り下げられた状態とされてから、パネル用吊り具の吊り具本体を上方に移動させたり、また下方に移動させることによって、吊り上げられたりまた吊り降ろされたりするものである。
【００１１】
請求項１記載のパネル用吊り具によれば、パネルＧＰを吊り上げる際、前記押さえ部６を前記パネルＧＰの反対側の面ＧＰ２に対しほぼ平行に移動して該反対側の面ＧＰ２から退避させた状態で前記吊りピン４をパネルＧＰの挿入孔２に該パネルＧＰの一方の面ＧＰ１側から挿入した後、前記押さえ部６を移動して前記反対側の面ＧＰ２に当接させて前記パネルＧＰを押さえることにより該パネルＧＰに取り付けられる。
【００１２】
このように取り付けられた吊り具本体３を介してパネルＧＰを吊り下げた状態にして、本パネル用吊り具１を昇降させることにより前記パネルＧＰの吊り上げ吊り降ろしを確実に且つ容易に行うことができる。
また、前記パネルＧＰからパネル用吊り具１を外す際には、前記押さえ部６を移動して前記反対側の面ＧＰ２から退避させて該反対側の面ＧＰ２への当接状態を解除し、前記挿入孔２から前記吊りピン４を引き抜いてパネル用吊り具１を前記パネルＧＰから外すことができる。
したがって、吊り下げられるパネルＧＰへの着脱を容易に行うことができ、このパネル用吊り具１を介してパネルＧＰを容易に吊り上げたり吊り降ろしたりすることができる。
【００１３】
また、吊りピン４を一方の面ＧＰ１側から前記挿入孔２に挿入し、前記押さえ部６を前記反対側の面ＧＰ２に当接させることにより、パネル用吊り具１をパネルＧＰに取り付ける構成であるので、外部から前記吊りピン４がパネルＧＰの挿入孔２に挿入されている状態と、前記押さえ部６が前記パネルＧＰの反対側の面ＧＰ２に当接している状態とを容易に視認することができ、パネル用吊り具１がパネルＧＰに確実に取り付けられている状態を確認する工程を別途行う必要がなく、吊り上げ作業の迅速化を図ることができる。
【００１４】
さらに、前記パネルＧＰの反対側の面ＧＰ２に当接して該パネルＧＰを押さえる前記押さえ部６が、前記反対側の面ＧＰ２に対しほぼ平行に移動することで、該反対側の面ＧＰ２から退避可能となっているので、前記吊りピン４を前記挿入孔２から抜いて前記押さえ部６を前記反対側の面から退避させるだけで、本パネル用吊り具１の前記パネルＧＰへの吊り付けを容易に行うことができる。つまり、前記反対側の面ＧＰ２に対向して所定間隔を空けて他の物体（たとえば、他のパネル）が配置されていても、前記所定間隔内に前記押さえ部６が介在可能であれば、該押さえ部６を平行に移動させることにより、前記反対側の面ＧＰ２に当接させたり、また該反対側の面ＧＰ２から退避させることができ、この反対側の面ＧＰ２を有するパネルＧＰを吊り上げることができる。
【００１５】
加えて、本パネル用吊り具１により吊り下げられるパネルＧＰには、前記吊りピン４を挿入するための挿入孔２を、一方の面側に、前記パネルＧＰの厚み方向に形成すればよいので、吊り下げられるパネルＧＰの加工が容易であり、該パネルＧＰの構造は簡易化されたものとなる。よって、このパネルＧＰの製作作業の簡易化を図ることができる。
【００１７】
また、前記押さえ部６は、前記吊りピン４の先端部４１と対向した位置と前記反対側の面ＧＰ２から退避した位置との間を移動可能であるので、前記挿入孔２に吊りピン４が挿入された状態で、パネルＧＰの反対側の面ＧＰ２の、前記吊りピン４の先端部４１と対向した部分に当接させて、前記パネルＧＰを押さえることができる。したがって、請求項１記載のものよりもパネルＧＰをバランスよく吊り上げることができる。
【００１８】
請求項２記載の発明は、請求項１のパネル用吊り具において、例えば、図１に示すように、前記吊り具本体３には、吊り下げるべきパネルＧＰの一方の面ＧＰ１に対向する対向面３４が設けられ、この対向面３４に吊りピン４が該対向面３４と直角に突出して設けられているものである。
【００１９】
請求項２記載のパネル用吊り具によれば、請求項１の発明と同様の効果を得ることができるとともに、前記吊り具本体３には、吊り下げるべきパネルＧＰの一方の面ＧＰ１に対向する対向面３４が設けられ、この対向面３４に吊りピン４が該対向面３４と直角に突出して設けられているので、前記パネルＧＰの挿入孔２に前記吊りピン４を挿入して、前記押さえ部６で前記反対側の面ＧＰ２に当接させると、前記パネルＧＰは前記対向面３４と前記押さえ部６との間に介在された状態となる。よってパネルＧＰを安定した状態で吊り下げることができる。
【００２０】
また、前記吊りピン４を前記挿入孔２に挿入させて、前記対向面３４に前記パネルＧＰの一方の面ＧＰ１を当接させて、前記押さえ部６で前記反対側の面ＧＰ２を押さえることができる。つまり前記対向面３４と前記押さえ部６とで前記パネルＧＰを挟んだ状態にすることができ、このパネル用吊り具１を介して前記パネルＧＰを一層安定した状態で吊り上げることができる。
【００２１】
請求項３記載の発明は、請求項１または２に記載のパネル用吊り具において、例えば、図７に示すように、吊り具本体３には回動レバー部５が回動自在に設けられ、前記押さえ部６は、前記回動レバー部５に設けられて該回動レバー部５を回動させることにより前記反対側の面ＧＰ２に対しほぼ平行に移動するものである。
【００２２】
請求項３記載のパネル用吊り具によれば、前記吊り具本体３の回動レバー部５を回動させることにより、前記押さえ部３を前記反対側の面ＧＰ２に対しほぼ平行に移動させ該反対側の面ＧＰ２から退避させることができる。したがって、請求項１または２に記載の発明と同様の効果を得ることができる。また、これらの効果と同様の効果を得るパネル用吊り具を簡単な構成で製作することができる。
【００２３】
請求項４記載の発明は、請求項３記載のパネル用吊り具において、例えば、図１に示すように、吊り具本体３には、回動レバー部５が吊りピン４の延在方向に移動可能に設けられているものである。
【００２４】
請求項４記載のパネル用吊り具によれば、請求項３記載の発明と同様の効果を得ることができるともに、吊り具本体３には、回動レバー部５が吊りピン４の延在方向に移動可能に設けられているので、該回動レバー部５に設けられている前記押さえ部６も前記吊りピン４の延在方向に移動可能となっている。したがって、吊り下げられるべきパネルＧＰの厚みに応じて前記押さえ部６の位置を変更することができ、前記回動レバー部５の移動により、前記押さえ部６が移動可能な範囲内の厚みを有するパネルＧＰを吊り下げることができる。よって、厚みが異なる多種類のパネルを吊り下げることができる。
【００２５】
請求項５記載の発明は、請求項４に記載のパネル用吊り具において、例えば、図１に示すように、吊り具本体３には、前記回動レバー部５を前記吊りピン４側に付勢可能な付勢部材３８が設けられているものである。
【００２６】
請求項５記載の発明によれば、請求項４記載の発明と同様の効果を得ることができるとともに、吊り具本体３には、前記回動レバー部５を前記吊りピン４側に付勢可能な付勢部材３８が設けられているので、前記回動レバー部５に設けられている前記押さえ部６も前記吊りピン４側に付勢された状態となる。つまり、前記押さえ部６を前記反対側の面ＧＰ２から退避させた状態で前記吊りピン４を前記パネルＧＰの挿入孔２に挿入して、前記押さえ部６を前記反対側の面ＧＰ２に当接させる際、前記押さえ部６を前記吊りピン４側と反対側の方向に移動させて前記反対側の面ＧＰ２上に平行に移動させ、前記押さえ部６の前記吊りピン４側と反対側の方向への移動を解除すれば、前記付勢部材３８により前記押さえ部６は前記吊りピン４側に移動して前記反対側の面ＧＰ２に当接する。したがって、前記押さえ部６が前記反対側の面ＧＰ２に確実に当接している状態になり一層安定した状態で前記パネルＧＰを吊り下げることができる。
【００２７】
請求項６記載の発明は、請求項３〜５のいずれかに記載のパネル用吊り具において、例えば、図１に示すように、押さえ部６は、パネルの反対側の面ＧＰ２に当接する当て板６１を有し、この当て板６１は、前記回動レバー部５に回動可能に取り付けられているものである。
【００２８】
請求項６記載の発明によれば、請求項３〜５のいずれかに記載の発明と同様の効果を得ることができるとともに、前記押さえ部６はパネルの反対側の面ＧＰ２に当接し、かつ前記回動レバー部５に回動可能に取り付けられている当て板６１を有しているので、前記当て板６１を前記反対側の面ＧＰ２に該反対側の面ＧＰ２の形状に対応して当接させることができる。また、当て板６１の平面部分を前記反対側の面ＧＰ２に当接させることができるので前記当て板６１と前記反対側の面ＧＰ２との当接面積が広くなる。したがって、前記当て板６１が前記反対側の面ＧＰ２に確実に当接することになり、本パネル用吊り具は前記パネルに確実に取付られ、該パネルの吊り上げや吊り降ろし作業の確実性を向上させることができるとともに、作業の安全性を一層確保することができる。
【００２９】
請求項７記載の発明は、請求項３〜６のいずれかに記載のパネル用吊り具において、例えば、図１０に示すように、回動レバー部５の内側面５２には、前記回動レバー部５の基端部５１側から先端部５３側に向かうにしたがって外方に傾斜する傾斜部５５が設けられているものである。
【００３０】
請求項７記載の発明によれば、請求項３〜６のいずれかに記載の発明と同様の効果を得ることができるとともに、前記回動レバー部５の内側面５２には、前記回動レバー部５の基端部５１側から先端部５３側に向かうにしたがって外方に傾斜する傾斜部５５が設けられているので、端部に一方の面ＧＰ１側から反対側の面ＧＰ２側に下がるような勾配部（勾配桁９）が付けられているパネルＧＰＣを吊り下げることができ、本パネル用吊り具１を昇降させることにより。前記パネルＧＰＣの吊り上げ及び吊り降ろし作業を行うことができる。すなわち、前記パネルＧＰＣの端部の勾配部９に前記傾斜部５５が対応し、勾配部９を備えたパネルについても請求項３〜６のいずれかに記載の発明と同様の効果を得ることができる。
【００３１】
請求項８記載の発明は、請求項１〜７のいずれかに記載のパネル用吊り具を用いてパネルを吊り下げるパネルの吊り下げ方法であって、例えば、図８に示すように、押さえ部６を、挿入孔２が形成された一方の面と反対側の面ＧＰ２から退避させた状態で、吊りピン４を前記挿入孔２に挿入し、次いで、前記押さえ部６を前記反対側の面ＧＰ２に当接させて前記パネルＧＰを押さえることで前記パネル用吊り具１を介して前記パネルＧＰを吊り下げるものである。
【００３２】
請求項８記載のパネルの吊り下げ方法によれば、請求項１〜７のいずれかに記載のパネル用吊り具１の押さえ部６を、挿入孔２が形成された一方の面と反対側の面ＧＰ２から退避させた状態で、吊りピン４を前記挿入孔２に挿入し、次いで、前記押さえ部６を前記反対側の面ＧＰ２に当接させて前記パネルＧＰを押さえ、前記パネル用吊り具１を介して前記パネルＧＰを吊り下げることができるので、前記パネル用吊り具１を昇降させることにより、前記パネルＧＰの吊り上げ及び吊り降ろし作業を容易に行うことができる。また、前記パネル用吊り具１がパネルＧＰに確実に取り付けられている状態か否かを外部から視認することができ、別途にその確認作業を行う必要がない。したがって、前記確認作業を省略して、前記パネルＧＰを吊り上げたり、また吊り降ろしたりすることができる。
【００３３】
さらに、吊り下げられるべきパネルＧＰの反対側の面ＧＰ２に対向するように所定間を空けて別の物体、例えば、他のパネルが配置されている場合でも、パネルの反対側の面ＧＰ２と、他のパネルの面との間の空間に前記押さえ部を挿入して前記パネルＧＰに前記パネル用吊り具１を取り付け該パネルを吊り下げてから、該パネルを吊り上げたりまた、吊り降ろしたりすることによりパネルを所定の位置に設置することができる。
【００３４】
【発明の実施の形態】
以下に、本発明に係るパネル用吊り具及びこれを用いたパネルの吊り上げ方法の実施の形態例を図１〜図１０に基づいて説明する。
図１は本発明を適用したパネル用吊り具をパネルに取り付けた状態を示す図であり、図２は同パネル用吊り具を示す図でありワイヤを連結した状態を示した正面図、図３は同パネル用吊り具を示す図であり、（ａ）は平面図（ｂ）は左側面図、（ｃ）は右側面図である。
【００３５】
これら図１〜図３に示すパネル用吊り具１は、端部ＧＰａ（後述する）に一方の面ＧＰ１側から厚み方向に形成された挿入孔２を有するパネル（後述する艤装パネルＧＰ）を吊るためものであり、吊り下げられる吊り具本体３と、この吊り具本体３に設けられてパネル（艤装パネルＧＰ）の挿入孔２に一方の面ＧＰ１側から挿入される吊りピン４と、吊り具本体３に回動自在に設けられた回動レバー部５と、この回動レバー部５に設けられ、挿入孔２が形成されているパネル（艤装パネルＧＰ）の一方の面ＧＰ１と反対側の面ＧＰ２に当接してパネル（艤装パネルＧＰ）を押さえる押さえ部６とから概略構成されている。
【００３６】
ここで、この実施の形態のパネル用吊り具１により吊り上げられるパネル、つまり艤装パネルＧＰについて説明する。
上記艤装パネル（パネル）ＧＰは、端部に厚み方向に挿入孔２が形成されたものであれば、どのようなものでもよいが、この実施の形態のパネル用吊り具１により吊り上げられるパネルは、図４に示すような、正面視矩形状の木質パネルＰ１，Ｐ２，Ｐ３を複数連結することにより構成された複合連結パネルＰに、胴縁２０ａを介して予め外装材２０を取り付けて構成されている。
【００３７】
図４に示すように艤装パネルＧＰの本体部分を構成する複合連結パネルＰにおいて、木質パネルＰ１，Ｐ２，Ｐ３は、それぞれ框材１１〜２２を矩形枠状に組んでなる枠体１０、１０ａ、１０ｂの表裏両面のうち少なくとも表面（ここでは、両面）に合板などの面材２３〜２８を設けたもので、前記枠体１０，１０ａ，１０ｂ内には必要に応じて補助桟材２９…が縦横に組み付けられているものである。なお、この複合連結パネルＰは、上記木質パネルＰ１，Ｐ２，Ｐ３を予め工場でアッセンブルしたサブアッシと称されるものである。
【００３８】
この複合連結パネルＰは、２つの縦方向に長尺のパネルＰ１，Ｐ２を離間して設け、これら離間して設けられた木質パネルＰ１，Ｐ２の上部間に水平にパネルＰ３を架設して、下方に開口するように平面視コ字状に組み合わせて接合して形成され、開口部付きの壁体となるように形成されている。
そして、この平面視コ字状の複合連結パネルＰの上端部には、該複合連結パネルＰを吊り上げるための挿入孔２，２が複合連結パネルＰの厚み方向に貫通するように形成されている。なお、この挿入孔２の形成箇所は、複合連結パネルＰの端部であれば、どの箇所に設けられてもよく、ここでは、複合連結パネルＰをパネル用吊り具によりバランスよく吊り上げられるように複合連結パネルＰの上端部に所定間隔をあけて２箇所形成されたものとなっている。
【００３９】
この挿入孔２は複合連結パネルＰを構成する木質パネルＰ１，Ｐ２，Ｐ３の枠体を構成する縦框材１２、１８が配設されている部分に複合連結パネルＰの厚み方向に形成されている。よって、この複合連結パネルＰのみを吊り上げたり吊り降ろしたりする際には、該複合連結パネルＰのどちらがわの面からでも、後述する吊りピン４を挿入することにより吊り下げた状態にすることができる。
【００４０】
このような複合連結パネルＰに外装材２０が取り付けられた艤装パネルＧＰを吊り上げるパネル用吊り具１の吊り具本体３は、図１〜図３に示すように、吊り上げるべき艤装パネルＧＰの一方の面側（挿入孔２が形成されている側）ＧＰ１に配置され、鉛直方向に延在する長尺の下本体部３１と、該下本体部３１の上部３１ａから水平方向に延在し、艤装パネルＧＰの上方に配置される上本体部３３とを備え、正面視ほぼＬ字状に形成されているものである。なお、以下では便宜上、艤装パネルＧＰにおいて、挿入孔２が形成された状態となっている面、つまり一方の面を艤装パネルＧＰの裏面と称し、一方の面と反対側の面、つまり艤装パネルの、外装材２０が取り付けられている側の面を表面と称して説明する。
【００４１】
下本体部３１の内側には、吊り上げられるべき艤装パネルＧＰの裏面ＧＰ１に対向する対向面３４が形成されており、この対向面３４の下端部３４ａには、該対向面３４と直交する方向に、言い換えれば、対向面３４と直角に突出して吊りピン４が設けられている。
【００４２】
吊りピン４は艤装パネルＧＰの挿入孔２に挿入可能な径である。また、その突出長さは任意の長さであり、ここでは、吊り上げられる艤装パネルＧＰの厚みより短いものとなっている。そして、この吊りピン４を挿入孔２に挿入すれば、対向面３４に艤装パネルＧＰの裏面ＧＰ１が当接可能となっている。
【００４３】
上本体部３３の下側には、該上本体部３３の延在方向に沿って正面側と下側に開口する切り欠き部３６が形成され、この切り欠き部３６内には回動レバー部５の基端部５１が回動自在に取り付けられている軸部３７が設けられている。
この軸部３７は、上本体部３３の延在方向に延在し、吊りピン４と平行となるように組み込まれている。図では、上本体部３３の切り欠き部３６内でほぼ露出し、左側の端部は上本体部３３に挿入され、右側の端部は上本体部３３の先端部（右側の端部）３３ｂに設けられた軸押さえ部３３ｃにより固定されている。
そして、このような軸部３７に、回動レバー部５の基端部５１が回動自在に外嵌されており、回動レバー部５が軸部３７に沿って摺動（図１では矢印Ａ方向：他図でも矢印Ａで示す）し、かつこの軸部３７を中心に回動可能となっている（図１及び図２では矢印Ｂ方向、また他図でも矢印Ｂで示す）。
【００４４】
また、軸部３７には、回動レバー部５の基端部５１を吊りピン４側に付勢する付勢部材３８であるコイルバネ３８が外嵌され、切り欠き部３６内で回動レバー部５の基端部５１より右側に配置されている。なお、この回動レバー部５が上本体部３３において吊りピン４側に最大に移動した位置では、押さえ部６と対向面３４との間に所定間隔あくように構成されている。この所定間隔とは吊り上げられるべきパネルの厚み、この実施の形態では、艤装パネルＧＰを構成している木質パネルＰ１．Ｐ２，Ｐ３の厚みとほぼ同じ長さで形成されている。例えば、対向面３４と後述する押さえ部６の内側面との間の距離が約９０ｍｍとなるように構成されたもの等が挙げられる。
【００４５】
回動レバー部５は、下本体部３１の対向面３４と対向する位置に移動可能（これは矢印Ｂ方向及び矢印Ｂの逆方向に移動することで可能）となっており、回動レバー部５の内側面５２には、該回動レバー部５の基端部５１から先端部５３側に向かうにしたがって外方、図では右方に傾斜する傾斜部５５が形成されている。
そして、回動レバー部５の先端部５３には、吊りピン４の先端部４１と対向する位置に移動可能な押さえ部６が設けられている。
【００４６】
この押さえ部６は回動レバー部５を回動させることにより、吊り上げられるべき艤装パネルＧＰの表面ＧＰ２に対しほぼ平行に移動して、艤装パネルＧＰの表面ＧＰ２から退避可能となっている。つまり、この回動レバー部５は図１及び図２において正面側に回動し、下本体部３１とほぼ直交する位置まで移動するようになっている。このように回動レバー部５を回動させることにより、押さえ部６は吊り上げられるべき艤装パネルＧＰの表面ＧＰ２の上方に移動し、該表面ＧＰ２から退避した状態となる。また、押さえ部６は、回動レバー部５を下本体部３１の対向面３４と対向する位置に回動させると、該押さえ部６は対向面３４に設けられている吊りピン４の先端部４１と対向する。
【００４７】
この押さえ部６は、複合連結パネルＰの表面ＧＰ２に当接する当て板６１と、該当て板６１を回動レバー部５の先端部５３に回動自在（矢印Ｃ方向で示す）に取り付ける取付部６２とを有している。
当て板６１は、内側面６１ａが表面ＧＰ２に当接するものであり、該内側面６１ａが表面ＧＰ２に当接した際、表面ＧＰ２の形状に対応して変形可能な弾性部材からなることが好ましい。たとえば、ゴム製のシート材などが挙げられる。
【００４８】
取付部６２は当て板６１の背部のほぼ中央に設けられ、取付部６２は回動レバー部５の先端部５３に回動可能に軸着されている。詳細には、回動レバー部５の先端部５３には軸６５が挿通される軸孔５７が形成され、この軸６５は、取付部６２に形成された固定片６６，６６，６６により固定されている。この軸６５を中心に当て板６１は回動レバー部５の延在方向に回転し、つまりは、当て板６１が軸６５を中心に回動するようになっている。
これにより、艤装パネルＧＰを吊り上げる際、艤装パネルＧＰの表面ＧＰ２に沿って当て板６１が可動し、該当て板６１の内側面６１ａが表面ＧＰ２に確実に密着した状態となる。
【００４９】
また、上本体部３３には、その上部３３ａに上方に突出するように吊り片３９が形成され、この吊り片３９には、例えば、クレーンなどの吊り上げ手段とパネル用吊り具１とを接続するワイヤ７０が取り付けられる吊り下げ孔３９ａが形成されている。この吊り下げ孔３９ａにはワイヤ７０の一端側のループ部７１に取り付けられたシャックル７２が取り付けられている。このシャックル７２はループ部７１に通されたＵ形部７２ａと、このＵ形部７２ａの開放端部に挿入してネジ止めする結合ピン７２ｂとからなる。すなわち、パネル用吊り具１の吊り具本体３から上方に突出した吊り片３９の両側にＵ形部７２ａの開放端を臨ませて、結合ピン７２ｂを吊り下げ孔３９ａに挿入してＵ形部７２ａにネジ止めされている。
【００５０】
また、ワイヤ７０の他端側のループ部７３は、図５に示すようにシャックル７５を介してバランススライドレール７６に接続されている。
この図５はバランススライドレール７６の吊り下げリング７７にワイヤ７０を取り付けた状態を示した側面図である。
この図に示すバランススライドレール７６は艤装パネルＧＰをバランスよく吊り上げるためのものであり、ワイヤ７０を介して図示しないクレーンなどの吊り上げ手段に接続されている。
【００５１】
そして、一端部に形成されたループ部７１でパネル用吊り具１に連結されているワイヤ７０の他端部に形成されているループ部７３が、バランススライドレール７６に、該バランススライドレール７６の延在方向に沿って摺動自在に組み付けられたスライダ７８から垂れ下がる吊り下げリング７７にシャックル７９を介して取り付けられている。なお、シャックル７９に代えて吊り下げリング７７にカラビナを介してワイヤ７０を取り付けてもよいことは勿論である。なお、スライダ７８をバランススライドレール７６に沿って移動させることで、吊り下げられるパネルに複数挿入孔が形成され、該パネルの重心がバランススライドレール７６の中心の鉛直線上にパネルの重心がくるように調整することができるようになっている。
【００５２】
なお、パネル用吊り具１をワイヤ７０を介してクレーンなどに接続する構成は、上記のように限らず、パネル用吊り具１が吊り下げられる構成であればどのように接続されていても良いことは勿論である。
また、上記パネル用吊り具１の吊り具本体部３、回動レバー部５及び押さえ部６等はどのような材質からなるものとしてもよいが、軽量であることが望ましい。例えばアルミ等により成形されているものが挙げられる。
【００５３】
次ぎに、このパネル用吊り具１により艤装パネルＧＰを吊り上げり、吊り降ろしたりする前に、パネル用吊り具１を介して艤装パネルＧＰを吊り下げた状態にするパネルの吊り下げ方法について説明する。
【００５４】
図６〜図８はパネル用吊り具１を艤装パネルＧＰに取り付ける様子を示す図であり、図６は艤装パネルＧＰに取り付ける前のパネル用吊り具を示す図であり、（ａ）はパネル用吊り具を艤装パネルＧＰの側面側からみた図であり（ｂ）は同パネル用吊り具を艤装パネルＧＰの正面側から見た図である。また、図７はパネル用吊り具の回動レバー部を回動させ、押さえ部を移動させた状態を示す図であり、（ａ）はパネル用吊り具を艤装パネルＧＰの側面側からみた図、（ｂ）は同パネル用吊り具を艤装パネルＧＰの正面側から見た図である。さらに、図８は吊りピンを複合連結パネルの挿入孔に挿入した状態を示す艤装パネルＧＰの側面側から見た図である。
【００５５】
なお、これらの図では、図示しない搬送用のパレット等に複数収容されたうちの一つの艤装パネルＧＰを吊り上げて、所定の場所に設置する際に行う工程を例を示している。
つまり、複数の艤装パネルＧＰ，ＧＰＡ，ＧＰＢはそれぞれ立てられて、隣り合う艤装パネルＧＰの表裏面（ＧＰ１，ＧＰ２）などが互いに対向するように間に図示しないスペーサを介して所定間隔が空いた状態で配置されているものである。この所定間隔は、吊りピン４と該吊りピン４が取り付けられている下本体部３１の下端部が入るほどの大きさとなっている。
【００５６】
図６に示すように、立設した状態で配置されている艤装パネルＧＰの上方からパネル用吊り具１を降ろし（矢印Ｄ方向）、まず艤装パネルＧＰにパネル用吊り具１を取り付ける前に、回動レバー部５を吊りピン４の先端部側に移動（矢印Ａ方向に移動）させて、押さえ部６が吊り上げるべき艤装パネルＧＰの表面ＧＰ２より外側に位置するようにする。
また、図７に示すように、艤装パネルＧＰにパネル用吊り具１を取り付ける前に、回動レバー部５を矢印Ｂ方向に回動させて、押さえ部６を上方に移動させる。つまり押さえ部６を吊り上げられるべき艤装パネルＧＰの表面ＧＰ２から退避させた状態とする。そして、パネル用吊り具１を矢印Ｄ方向に降ろす。
【００５７】
図８に示すように、パネル用吊り具１を降ろすことにより、パネル用吊り具１の下本体部３１を艤装パネルＧＰ間に入れ、吊り上げられる艤装パネルＧＰの挿入孔２に吊りピン４を挿入する。
そして、回動レバー部５を回動させる（図８で矢印Ｅ方向：矢印Ｂと逆の方向）ことにより、押さえ部６を艤装パネルＧＰの表面ＧＰ２において、裏面ＧＰ１側の吊りピン４の先端部４１と対向する位置に配置させて、当て板６１の内側面を表面ＧＰ２に当接させて艤装パネルＧＰにパネル用吊り具１を取り付ける。（図１参照。）
【００５８】
図９は艤装パネルＧＰにパネル用吊り具１を取り付けて、該艤装パネルＧＰを吊り下げた状態を示すものであり、艤装パネルＧＰの正面側から見た図である。
つまり、艤装パネルＧＰには２箇所にパネル用吊り具１、１が取り付けられており、上記のようにパネル用吊り具１をそれぞれの挿入孔２，２に取り付け、これらパネル用吊り具１，１及びバランススライドレール７６を介して艤装パネルＧＰは吊り下げられた状態となる。
このようにバランススライドレール７６及びパネル用吊り具１，１を昇降させることにより、該艤装パネルＧＰの吊り上げ作業や吊り降ろし作業を行うことができる。
【００５９】
また、パネル用吊り具１が艤装パネルＧＰに確実に取り付けられている状態か否かを外部から視認することができ、別途にその確認作業を行う必要がない。
したがって、確認作業を省略して、艤装パネルＧＰを吊り上げたり、また吊り降ろしたりすることができる。
【００６０】
さらに、バランススライドレール７６により吊り下げられた艤装パネルＧＰは縦方向に上辺がほぼ水平となるようにバランスよく吊り下げられ、バランススライドレール７６を吊り上げ手段（周知の技術であるので説明は省略）により吊り上げることにより例えば、所定の位置、壁体を構成する位置に配置させることができる。同様にして艤装パネルＧＰＡ、ＧＰＢを吊り下げた状態にすることができ、これら艤装パネルＧＰＡ、ＧＰＢを吊り上げたり、吊り降ろしたりすることができる。
【００６１】
また、艤装パネルＧＰからパネル用吊り具１を外す際には、押さえ部６を移動して表面ＧＰ２から退避させて該表面ＧＰ２への当接状態を解除し、挿入孔２から吊りピン４を引き抜いてパネル用吊り具１を艤装パネルＧＰから外すことができる。よって、吊り下げられる艤装パネルＧＰへの着脱を容易に行うことができ、このパネル用吊り具１を介して艤装パネルＧＰを容易に吊り上げたり吊り降ろしたりすることができる。
【００６２】
また、艤装パネルＧＰの表面ＧＰ２に当接して該艤装パネルＧＰを押さえる押さえ部６が、表面ＧＰ２に対しほぼ平行に移動することで、該表面ＧＰ２から退避可能となっているので、吊りピン４を挿入孔２から抜いて押さえ部６を表面から退避させるだけで、本パネル用吊り具１の艤装パネルＧＰへの吊り付けを容易に行うことができる。つまり、表面ＧＰ２に対向して所定間隔を空けて他の物体他の艤装パネルＧＰＢが配置されていても、所定間隔内に押さえ部６が介在可能であれば、吊り上げられる艤装パネルＧＰと他の艤装パネルＧＰＢとの間の空間内において該押さえ部６を平行に移動させることにより、表面ＧＰ２に当接させたり、また該表面ＧＰ２から退避させることができ、この表面ＧＰ２を有する艤装パネルＧＰを吊り上げることができる。
【００６３】
さらに、押さえ部６は、吊りピン４の先端部４１と対向した位置と表面ＧＰ２から退避した位置との間を移動可能であるので、挿入孔２に吊りピン４が挿入された状態で、艤装パネルＧＰの表面ＧＰ２の、吊りピン４の先端部４１と対向した部分に当接させて、艤装パネルＧＰを押さえることができ、バランスよく吊り上げることができる。
【００６４】
加えて、本パネル用吊り具１により吊り下げられる艤装パネルＧＰには、吊りピン４を挿入するための挿入孔２を、裏面ＧＰ１側に、艤装パネルＧＰの厚み方向に形成すればよいので、吊り下げられる艤装パネルＧＰの加工が容易であり、該艤装パネルＧＰの構造は簡易化されたものとなる。よって、この艤装パネルＧＰの製作作業の簡易化を図ることができる。
【００６５】
また、上記パネル用吊り具１によれば、吊りピン４を挿入孔２に挿入させて、対向面３４に艤装パネルＧＰの裏面ＧＰ１を当接させて、押さえ部６で表面ＧＰ２を押さえることができる。つまり対向面３４と押さえ部６とで艤装パネルＧＰを挟んだ状態にすることができ、このパネル用吊り具１を介して艤装パネルＧＰを一層安定した状態で吊り上げることができる。
【００６６】
そして、吊り具本体３には、回動レバー部５が吊りピン４の延在方向に移動可能に設けられているので、該回動レバー部５に設けられている押さえ部６も吊りピン４の延在方向に移動可能となっており、吊り下げられるべき艤装パネルＧＰの厚みに応じて押さえ部６の位置を変更することができ、回動レバー部５の移動により、押さえ部６が移動可能な範囲内の厚みを有する艤装パネルＧＰを吊り下げることができる。よって、この実施の形態の艤装パネルＧＰ以外の規格の厚みが異なる多種類のパネルを吊り下げることができる。
【００６７】
さらに吊り具本体３には、回動レバー部５を吊りピン４側に付勢可能なコイルバネ３８が設けられているので、回動レバー部５に設けられている押さえ部６も吊りピン４側に付勢された状態となる。
つまり、押さえ部６を表面ＧＰ２から退避させた状態で吊りピン４を艤装パネルＧＰの挿入孔２に挿入して、押さえ部６を表面ＧＰ２に当接させる際、押さえ部６を吊りピン４側と表方向に移動させて表面ＧＰ２上に平行に移動させ、押さえ部６の吊りピン４側と表方向への移動を解除すれば、コイルバネ３８により押さえ部６は吊りピン４側に移動して表面ＧＰ２に当接する。
したがって、押さえ部６が表面ＧＰ２に確実に当接している状態になり一層安定した状態で艤装パネルＧＰを吊り下げることができる。
【００６８】
押さえ部６は艤装パネルの表面ＧＰ２に当接し、かつ回動レバー部５に回動可能に取り付けられている当て板６１を有しているので、当て板６１を表面ＧＰ２に該表面ＧＰ２の形状に対応して当接させることができる。また、当て板６１の平面部分を表面ＧＰ２に当接させることができるので当て板６１と表面ＧＰ２との当接面積が広くなる。
したがって、当て板６１が表面ＧＰ２に確実に当接することになり、本パネル用吊り具は艤装パネルＧＰに確実に取付られ、該艤装パネルＧＰの吊り上げや吊り降ろし作業の確実性を向上させることができるとともに、作業の安全性を一層確保することができる。
【００６９】
さらに、回動レバー部５の内側面５２には、回動レバー部５の基端部５１側から先端部５３側に向かうにしたがって外方に傾斜する傾斜部５５が設けられているので、図１０に示すように、端部に裏面側から表面側に下がるような勾配部が付けられている艤装パネルを吊り下げることができる。
図１０は勾配桁が取り付けられた艤装パネルＧＰＣに取り付けられたパネル用吊り具１の正面図である。なお、この図においては、同符号を付した部分は、上述したものと同じものであるので説明は省略する。
【００７０】
図１０に示す艤装パネルＧＰＣは、上記艤装パネルＧＰの本体部分を構成し、一方の面（裏面）側から厚み方向に形成された挿入孔２を備えた複合連結パネルＰの表面に胴縁７を介して、表面を構成する面材の上部が露出するように外装材８が取り付けられ、上端面Ｐｂに、複合連結パネルＰの延在方向に沿って上面が傾斜した勾配桁（勾配部）９が取り付けられたものである。
挿入孔２に吊りピン４を挿入し、押さえ部６を表面側に当接させて艤装パネルＧＰＣを押さえ、該艤装パネルＧＰＣにパネル用吊り具１を取り付けた際、この艤装パネルＧＰＣの上部の勾配桁９に、傾斜部５５の傾斜部分が対応することになり、勾配桁９を備えた艤装パネルＧＰＣであっても上記実施の形態の艤装パネルＧＰと同様に艤装パネルＧＰＣを吊り下げた状態にすることができ、パネル用吊り具１を昇降させることにより艤装パネルＧＰＣの吊り上げ及び吊り降ろし作業を行うことができる。
【００７１】
ここで、本発明に係るパネル用吊り具の別の実施の形態を図１１〜図１３を用いて説明する。
図１１は本発明を適用したパネル用吊り具の別の実施の形態であるパネル用吊り具１００を艤装パネルＧＰに取り付け、艤装パネルＧＰを吊り下げた状態を示す図である。図１２及び図１３は同パネル用吊り具を示すものであり、図１２は同パネル用吊り具の正面図、図１３は同パネル用吊り具の側面図であり、（ａ）は左側面図、（ｂ）は右側面図である。
【００７２】
図１１〜図１３に示すパネル用吊り具１００は、吊り下げられる吊り具本体１３０と、この吊り具本体１３０に設けられて艤装パネルＧＰの挿入孔２に裏面ＧＰ１側から挿入される吊りピン１０４と、吊り具本体１３０に回動自在に設けられた回動レバー部１５０と、この回動レバー部１５０に設けられ、艤装パネルＧＰの表面ＧＰ２に当接して艤装パネルＧＰを押さえる押さえ部１０６とから概略構成されている。
これら吊りピン１０４、回動レバー部１５０、押さえ部１０６は、上述したパネル用吊り具１の吊りピン４、回動レバー部５、押さえ部６とほぼ同様の作用効果を有するものであるが、本パネル用吊り具１００では、回動レバー部１５０と該回動レバー部１５０周辺の構造のみ異なっており、以下では、構造の異なる部分のみ説明を行い、上記パネル用吊り具１と同様の構成については同名称、同符号を付して説明は省略する。
【００７３】
すなわち、パネル用吊り具１００において、吊り具本体１３０は、吊り上げるべき艤装パネルＧＰの裏面側（挿入孔２が形成されている側）ＧＰ１に配置され、鉛直方向に延在する長尺の下本体部１３１と、該下本体部１３１の上部１３１ａから水平方向に延在し、艤装パネルＧＰの上方に配置される上本体部１３３とを備え、正面視ほぼＬ字状に形成されているものである。なお、上本体部１３３には、該上本体部１３３にボルト１４０，１４０で固定された吊り金具１４１を有し、この吊り金具１４１の上端部１４１ａは、上本体部１３３の上部から突出しており、この上端部１４１ａには、接続部材（ボルトナット１４３ａ、ピン１４３ｂ、連結部材１４３ｃ）１４３を介してワイヤ７０が接続されている吊り穴１４２が形成されている（図１１ではこの吊り穴１４２にワイヤ７０と連結されたボルトナット１４３ａが挿入されている）。
【００７４】
下本体部１３１の内側には、上述した下本体部３１と同様の対向面１３４が形成されており、この対向面１３４の下端部１３４ａには、該対向面１３４と直交する方向に、言い換えれば、対向面１３４と直角に突出して吊りピン１０４（吊りピン４と同様）が設けられている。
【００７５】
そして、上本体部１３３には、該上本体部１３３の延在方向に延在し且つ吊りピン１０４と平行な軸部１３７が回転可能に組み込まれ、この軸部１３７には上本体部１３３に対して回動自在に回動レバー部１５０が取り付けられた状態となっている。
この回動レバー部１５０は、図１１及び図１２で、軸部１３７を中心に正面側に回動可能となっており、図１３では、矢印方向Ｄ方向に回動する。
この回動レバー部１５０の回動により、該回動レバー部１５０に設けられた押さえ部１０６は、吊り下げられるべき艤装パネルＧＰの表面ＧＰ２に対しほぼ平行に移動して、吊りピン１０４の先端部１０４ａと対向した位置と表面ＧＰ２から退避した位置との間を移動可能となっている。
【００７６】
回動レバー部１５０は、軸部１３７を介して上本体部１３３に回動自在に設けられた上レバー部１５１と、この上レバー部１５１に基端部１５６が吊りピン１０４の延在方向に移動自在に取り付けられているとともに、先端部１５７に押さえ部１０６が設けられた下レバー部１５５とから概略構成されている。
上レバー部１５１には、軸部１３７に固定され上本体部１３３に対して回動する回動部１５２と、この回動部１５２に設けられ、下レバー部１５５を支持し且つ該下レバー部１５５の移動（吊りピン１０４の延在方向への移動：両矢印Ｅで示す）をガイドするガイド部１５４とを備えている。
【００７７】
回動部１５２は、上方向に開口したコ字状をなしており、このコ字状の内側に、上本体部１３３の先端部１３３ａから下方に突出した状態に形成されている垂下部１３３ｂが内嵌されており、軸部１３７がこれらを挿通して接続している。
コ字状の回動部１５２の右側の突部１５２ａには、上方に突出した上部片１８０が設けられ、この上部片１８０に上本体部１３３の延在方向で、かつ先端部１３３ａ側から（図では右側からボルト１８１が挿通されており、このボルト１８１は、該ボルト１８１の先端部１８１ａと対向する上本体部１３３の先端部１３３ａの端面１３３ｃに形成されたボルト孔１８２にねじ込まれている。
【００７８】
ボルト１８１が上本体部１３３の端面１３３ｃのボルト孔１８２にねじ込まれることにより回動部１５２は上本体部１３３から鉛直下方に吊られた状態で固定される。このボルト１８１を緩めたり締めたりすることで、上本体部１３３へのねじ込み具合を調整することができ、ボルトを緩めることにより、このボルト１８１のねじ込みが解除され上レバー部１５１は回動可能となる。
ここでは、ボルト１８１とボルト孔１８２との位置関係は、上レバー部１５１に接続されている後述する下レバー部１５５に設けられた押さえ部１０６が吊りピン１０４の先端部１０４ａと対向する位置で固定されるように構成されている。  なお、ボルト１８１はボルト孔１８２にねじ込まれる構成としたが、先端部がボルト孔１８２に挿入される構成であるならば、どのように構成されていてもよい。また、上記ボルト１８１の頭部の外周にはボルト１８１の締め緩めを行い易いようにきざみ（ローレット目）が施されている。
【００７９】
ガイド部１５４には下レバー部１５５が、該下レバー部１５５の二股に分割された基端部１５６の分割片１５６ａ，１５６ｂでガイド部１５４の両側から該ガイド部１５４を挟んだ状態で、且つガイド部１５４の延在方向に摺動可能に接続されている。そして、このガイド部１５４には、吊りピン１０４と平行に延在する長穴１５４ａと、この長穴１５４ａの下部に、該長穴１５４ａの延在方向、つまり吊りピン１０４の延在方向と平行に延在し、かつ該延在方向と直交する方向に膨出し、二股の基端部１５６の分割片１５６ａ，１５６ｂのそれぞれの内側に形成された凹部１６０（図１３（ｂ）参照）に嵌合されて下レバー部１５５を支持する膨出部１５４ｂが形成されている。
【００８０】
下レバー部１５５は、基端部１５６で、膨出部１５４ｂに支持されるとともに、止めボルト１９０とナット１９１（図１３（ｂ）参照）を介して長穴１５４ａに沿って摺動可能に取り付けられている。すなわち、分割片１５６ａ，１５６ｂの上端部がガイド部１５４を挟んで配置され、これら分割片１５６ａ，１５６ｂのボルト穴（図示省略）及び長穴１５４ａに止めボルト１９０が挿通されており、この止めボルト１９０の頭部とナット１９１とが分割片１５６ａ，１５６ｂの外側に配置されていて、該分割片１５６ａ，１５６ｂをガイド部１５４に接続した状態となっている。
【００８１】
この止めボルト１９０を締めたり緩めたりすることにより上レバー部１５１に下レバー部１５５を任意の位置で固定させることができる。つまり、止めボルト１９０を締めることにより、ガイド部１５４を挟んだ状態で該ガイド部１５４に接続されている、二股に分割された基端部１５６のそれぞれの分割片部１５６ａ，１５６ｂがそれぞれ内側のガイド部１５４側に押圧され、凹部１６０が膨出部１５４ｂ側に押さえつけられ、下レバー部１５５が上レバー部に固定される。これにより、下レバー部１５５を吊りピン１０４の延在方向に移動させて位置決めでき、下レバー部１５５に設けられている押さえ部１０６（後述する）と、吊りピン１０４の先端部１０４ａとの間の間隔を調整することができる。なお、上記止めボルト１９０の頭部の外周には止めボルト１９０の締め緩めを行い易いようにきざみ（ローレット目）が施されている。
【００８２】
このように構成されている回動レバー部１５０は、下本体部１３１の対向面１３４と対向する位置に延在しており、先端部１５７には、吊りピン１０４の先端部１０４ａと対向する位置に移動可能な押さえ部１０６が設けられている。
【００８３】
この押さえ部１０６は回動レバー部１５０を上レバー部１５１の回動部１５２で回動させることにより、吊り上げられるべき艤装パネルＧＰの表面ＧＰ２に対しほぼ平行に移動して、艤装パネルＧＰの表面ＧＰ２から退避可能となっている。つまり、この回動レバー部１５０は図１１及び図１２において正面側に回動し、下本体部１３１とほぼ直交する位置まで移動するようになっている。
また、押さえ部１０６は、回動レバー部１５０を下本体部１３１の対向面１３４と対向する位置に回動させると、該押さえ部１０６は対向面１３４に設けられている吊りピン１０４の先端部１０４ａと対向するものであり、上述した押さえ部６と同様の作用効果を有する当て板６１と、該当て板６１を回動レバー部１５０の先端部５７に回動自在（両矢印Ｆ方向で示す）に取り付ける取付部６２とを有している。
【００８４】
なお、以上の実施の形態例においては、パネル用吊り具により吊り上げられるパネルを艤装パネルＧＰとしたが、勿論、本発明はこれに限定されるものではなく、厚み方向に挿入孔２が形成されていればどのようなものでもよい。例えば、上述したように外装材８，２０が取り付けられていない複合連結パネルＰでもよいし、単に木質パネルＰ１，Ｐ２，Ｐ３などのものでもよい。また、パネル状のもので挿入孔があればどのようなものでもよい。
また、吊り具本体の形状等も上述した作用を有する吊りピン、押さえ部を有するものであるならば任意であり、その他、具体的な細部構造等についても適宜に変更可能であることは勿論である。
【００８５】
【発明の効果】
以上のように、請求項１記載の発明に係るパネル用吊り具によれば、吊り下げられるパネルへの着脱を前記押さえ部の移動により容易に行うことができ、このパネル用吊り具を介して前記パネルを吊り下げた状態にして、パネルを容易に吊り上げたり吊り降ろしたりすることができる。また、外部から前記吊りピンがパネルの挿入孔に挿入されている状態と、前記押さえ部が前記パネルの反対側の面に当接している状態とを容易に視認することができ、パネル用吊り具がパネルに確実に取り付けられている状態を確認する工程を別途取る必要がなく、吊り上げ作業の迅速化を図ることができる。加えて、前記吊りピンを前記挿入孔から抜いて前記押さえ部を前記反対側の面から退避させるだけで、本パネル用吊り具の前記パネルへの吊り付けを容易に行うことができる。
【００８６】
さらに、本パネル用吊り具により吊り下げられるパネルには、前記吊りピンを挿入するための挿入孔を、一方の面側に、前記パネルの厚み方向に形成すればよいので、吊り下げられるパネルの加工が容易であり、該パネルの構造は簡易化されたものとなる。よって、このパネルの製作作業の簡易化を図ることができる。
【００８７】
また、前記挿入孔に吊りピンが挿入された状態で、パネルの反対側の面の、前記吊りピンの先端部と対向した部分に当接させて、前記パネルを押さえることができ、請求項１記載のものよりもパネルをバランスよく吊り上げることができる。
【００８８】
請求項２記載の発明に係るパネル用吊り具によれば、請求項１記載の発明と同様の効果を得ることができるとともに、前記パネルの挿入孔に前記吊りピンを挿入して、前記押さえ部で前記反対側の面に当接させると、前記パネルは前記対向面と前記押さえ部との間に介在された状態となり、前記パネルを安定した状態で吊り下げることができる。また、前記吊りピンを前記挿入孔に挿入させて、前記対向面に前記パネルの一方の面を当接させて、前記押さえ部で前記反対側の面を押さえることができる。つまり前記対向面と前記押さえ部とで前記パネルを挟んだ状態にすることができ、このパネル用吊り具を介して前記パネルを一層安定した状態で吊り上げることができる。
【００８９】
請求項３記載の発明に係るパネル用吊り具によれば、前記吊り具本体の回動レバー部を回動させることにより、前記押さえ部を前記反対側の面に対しほぼ平行に移動させ該反対側の面から退避させることができ、請求項１または２に記載の発明と同様の効果を得ることができる。また、これらの効果と同様の効果を得るパネル用吊り具を簡単な構成で製作することができる。
【００９０】
請求項４記載の発明に係るパネル用吊り具によれば、請求項３記載の発明と同様の効果を得ることができるともに、前記回動レバー部に設けられている前記押さえ部も前記吊りピンの延在方向に移動可能となり、吊り下げられるべきパネルの厚みに応じて前記押さえ部の位置を変更することができ、前記回動レバー部の移動により、前記押さえ部が移動可能な範囲内の厚みを有するパネルを吊り下げることができる。よって、厚みが異なる多種類のパネルを吊り下げることができる。
【００９１】
請求項５記載の発明に係るパネル用吊り具によれば、請求項４記載の発明と同様の効果を得ることができるとともに、前記回動レバー部に設けられている前記押さえ部も前記吊りピン側に付勢された状態となり、前記押さえ部が前記反対側の面に確実に当接し、一層安定した状態で前記パネルを吊り下げることができる。
【００９２】
請求項６記載の発明に係るパネル用吊り具によれば、請求項３〜５のいずれかに記載の発明と同様の効果を得ることができるとともに、前記当て板を前記反対側の面に該反対側の面の形状に対応して当接させることができる。また、当て板の平面部分を前記反対側の面に当接させることができるので前記当て板と前記反対側の面との当接面積が広くなる。したがって、前記当て板が前記反対側の面に確実に当接することになり、本パネル用吊り具は前記パネルに確実に取付られ、該パネルの吊り上げや吊り降ろし作業の確実性を向上させることができるとともに、作業の安全性を一層確保することができる。
【００９３】
請求項７記載の発明に係るパネル用吊り具によれば、請求項３〜６のいずれかに記載の発明と同様の効果を得ることができるとともに、端部に一方の面側から反対側の面側に下がるような勾配部が付けられているパネルを吊り下げることができ、本パネル用吊り具を昇降させることにより前記パネルの吊り上げ及び吊り降ろし作業を行うことができる。すなわち、前記パネルの端部の勾配部に前記傾斜部の傾斜面が対応し、勾配部を備えたパネルについても請求項３〜６のいずれかに記載の発明と同様の効果を得ることができる。
【００９４】
請求項８記載のパネルの吊り下げ方法によれば、前記パネルを容易に吊り下げられた状態とし、前記パネル用吊り具を昇降させることにより前記パネルの吊り上げ及び吊り降ろし作業を容易に行うことができる。また、前記パネル用吊り具がパネルに確実に取り付けられている状態か否かを外部から視認することができ、別途にその確認作業を行う必要がない。したがって、前記確認作業を省略して、前記パネルを吊り上げたり、また吊り降ろしたりすることができる。
【００９５】
さらに、吊り下げられるべきパネルの前記反対側の面に対向するように所定間を空けて別の物体、例えば、他のパネルが配置されている場合でも、前記パネルの反対側の面と、他のパネルの面との間の空間に前記押さえ部を挿入して前記パネルに前記パネル用吊り具を取り付け該パネルを吊り下げてから、該パネルを吊り上げたりまた、吊り降ろしたりすることによりパネルを所定の位置に設置することができる。
【図面の簡単な説明】
【図１】本発明を適用したパネル用吊り具をパネルに取り付けた状態を示す図である。
【図２】同パネル用吊り具を示す図でありワイヤを連結した状態を示した正面図である。
【図３】同パネル用吊り具を示す図であり、（ａ）は平面図（ｂ）は左側面図、（ｃ）は右側面図である。
【図４】艤装パネルＧＰの本体部部分を構成する複合連結パネルＰの斜視図である。
【図５】バランススライドレール７６の吊り下げリング７７にワイヤ７０を取り付けた状態を示した側面図である。
【図６】艤装パネルＧＰに取り付ける前のパネル用吊り具を示す図であり、（ａ）はパネル用吊り具を艤装パネルＧＰの側面側からみた図であり（ｂ）は同パネル用吊り具を艤装パネルＧＰの正面側から見た図である。
【図７】パネル用吊り具の回動レバー部を回動させ、押さえ部を移動させた状態を示す図であり、（ａ）はパネル用吊り具を艤装パネルＧＰの側面側からみた図、（ｂ）は同パネル用吊り具を艤装パネルＧＰの正面側から見た図である。
【図８】吊りピンを複合連結パネルの挿入孔に挿入した状態を示す艤装パネルＧＰの側面側から見た図である。
【図９】艤装パネルＧＰにパネル用吊り具１を取り付けて、該艤装パネルＧＰを吊り下げた状態を示すものであり、艤装パネルＧＰの正面側から見た図である。
【図１０】勾配桁が取り付けられた艤装パネルに取り付けられたパネル用吊り具の正面図である。
【図１１】本発明を適用したパネル用吊り具の別の実施の形態であるパネル用吊り具１００を艤装パネルＧＰに取り付け、艤装パネルＧＰを吊り下げた状態を示す図である。
【図１２】同パネル用吊り具を示すものであり、図１２は同パネル用吊り具の正面図である。
【図１３】同パネル用吊り具の側面図であり、（ａ）は左側面図、（ｂ）は右側面図である。
【符号の説明】
１，１００  パネル用吊り具
２          挿入孔
３，１３０  吊り具本体
４，１０４  吊りピン
５，１５０  回動レバー部
６，１０６  押さえ部
３４，１３４  対向面
３８  コイルバネ（付勢部材）
４１，１０４ａ  吊りピンの先端部
５１  回動レバー部の基端部
５２  回動レバー部の内側面
５３  回動レバー部の先端部
５５  傾斜部
６１  当て板
ＧＰａ  艤装パネルの端部（パネルの端部）
ＧＰ１  艤装パネルの裏面（パネルの一方の面）
ＧＰ２  艤装パネルの表面（パネルの一方の面と反対側の面）
ＧＰ，ＧＰＣ  艤装パネル（パネル）
【図１】
0004256026.tif 000002
【図２】
0004256026.tif 000003
【図３】
0004256026.tif 000004
【図４】
0004256026.tif 000005
【図５】
0004256026.tif 000006
【図６】
0004256026.tif 000007
【図７】
0004256026.tif 000008
【図８】
0004256026.tif 000009
【図９】
0004256026.tif 000010
【図１０】
0004256026.tif 000011
【図１１】
0004256026.tif 000012
【図１２】
0004256026.tif 000013
【図１３】
0004256026.tif 000014